(57)【要約】      （修正有）【課題】日本の伝統工芸である和紙の特性と、粘土の特性を生かし、特に粘土の成形性の良さと、和紙の繊維質から現れる独特の素材感、更に和紙の柔軟性、強度、吸水性などの機能的な特性を利用した、強くて軽量、且つ、和紙特有の独特な表面性状から発揮される装飾美を兼ね備えた造花、並びにその製造方法に関する技術を提供する。【解決手段】粘土によって花弁や葉等の造花を構成する粘土成形部品１１を成形する粘土成形工程Ａと、粘土成形部品１１の表面の一部または全部に貼着するための和紙貼着体３０を切り取る切取工程Ｂと、粘土成形部品１１と和紙貼着体３０とを貼着した和紙貼着構造体を得る貼着工程Ｃと、各和紙貼着構造体とを結合させる組立工程Ｄとから成る製造方法並びに、係る製造方法によって得られるクレイフラワー２とした。【選択図】図１
2020029634.tif 000002
【特許請求の範囲】
【請求項１】
粘土（１０）と和紙（２０）を用いた造花の製造方法であって、
前記粘土（１０）によって花弁（１２）、葉（１３）、萼（１４）、実（１５）、茎（１６）といった造花を構成する粘土成形部品（１１）を成形する粘土成形工程（Ａ）と、
前記粘土成形部品（１１）の表面の一部または全部に貼着するための和紙貼着体（３０）を前記和紙（２０）から切り取る切取工程（Ｂ）と、
前記粘土成形工程（Ａ）によって得られた前記粘土成形部品（１１）のいずれか又は全部と、前記切取工程（Ｂ）によって得られた前記和紙貼着体（３０）とを貼着して和紙貼着構造体（３１）を得る貼着工程（Ｃ）と、
前記粘土成形工程（Ａ）によって得られた前記粘土成形部品（１１）及び前記貼着工程（Ｃ）によって得られた前記和紙貼着構造体（３１）とを結合させる組立工程（Ｄ）と、
から成ることを特徴とする和紙による補強及び装飾クレイフラワーの製造方法（１）。
【請求項２】
前記貼着工程（Ｃ）における和紙（２０）の貼着手段（Ｅ）に、水（５０）を用いることを特徴とする請求項１に記載の和紙による補強及び装飾クレイフラワーの製造方法（１）。
【請求項３】
前記貼着工程（Ｃ）における前記和紙（２０）の貼着手段（Ｅ）に、水性接着剤（６０）を用いることを特徴とする請求項１に記載の和紙による補強及び装飾クレイフラワーの製造方法（１）。
【請求項４】
前記貼着工程（Ｃ）における前記和紙（２０）の貼着手段（Ｅ）に、水（５０）と水性接着剤（６０）を用いることを特徴とする請求項１に記載の和紙による補強及び装飾クレイフラワーの製造方法（１）。
【請求項５】
前記和紙（２０）が透ける和紙（２１）を採用することで独特な表面性状を利用して表現することを特徴とした請求項１から請求項３の何れかに記載した和紙による補強及び装飾クレイフラワーの製造方法（１）。
【請求項６】
前記部品に、暗くなると発光する蓄光素材（７０）を利用したことを特徴とする請求項１から請求項４の何れかに記載した和紙による補強及び装飾クレイフラワーの製造方法（１）。
【請求項７】
粘土（１０）と和紙（２０）を用いた造花であって、
花弁（１２）、葉（１３）、萼（１４）、実（１５）、茎（１６）といった造花の粘土成形部品（１１）の表面の一部または全部に前記和紙（２０）が貼着されていることを
特徴とする和紙による補強及び装飾クレイフラワー（２）。
【請求項８】
前記和紙（２０）に透ける和紙（２１）を用いたことを特徴とする請求項６に記載の和紙による補強及び装飾クレイフラワー（２）。
【請求項９】
前記部品に、暗くなると発光する蓄光素材（７０）を利用したことを特徴とする
請求項６又は請求項７に記載の和紙による補強及び装飾クレイフラワー（２）。
【発明の詳細な説明】
【技術分野】
【０００１】
本発明は、造花の製造技術に関し、詳しくは、和紙による補強と装飾を兼ねた軽量クレイフラワーの製造技術に関する。
【背景技術】
【０００２】
わが国の各地方には、綺麗な模様や薄く透けるような和紙の伝統文化が多く存在する。しかし、戦後から今日まで、西洋文化に移行する傾向が強く、住宅においても障子を使う日本間よりも西洋風な壁紙等を使用するケースが増加し、日本の伝統文化である和紙の需要は減少傾向にあるといえる。そのため、和紙を産業としてきた地域では、過疎化の問題も深刻であり、和紙の利用の途を見直し、新たな産業の開拓が必要となっている。
【０００３】
また、和紙と相性の良いものとしてクレイクラフトがある。係るクレイクラフトに用いる粘土にも様々なものが開発されている。最近は、軽量のものも登場しているが、リアルな風合いを醸し出せる樹脂粘土や、小麦粘土はまだまだ重量の面から言えば問題もあるといえる。そこで、粘土を極限まで薄くして軽減化を図りたいところであるが、もともと小麦粘土、樹脂粘土、石粉粘土などは薄く伸ばした箇所が掛けやすいという致命的な弱点があるのは周知の事である。そこで、粘土の改良以外でのクレイフラワーの軽量化、又は粘土を薄くしても強度を保てる製造方法が求められている。
【０００４】
このような問題点に鑑み、本発明の発明者は、粘土と和紙のそれぞれの特徴を相互に引き出せないかという着想の下、本発明をするに到ったものである。即ち、粘土は、曲げや微妙な厚さの調整など比較的自在にできるという成形性の良さという利点と、重いという欠点がある。これに対して和紙は、繊維状の紙であるため、強くて軽いという利点の反面、立体感を出すのは難しいという成形性に欠点があり、当該二つの素材の組み合わせにより、従来の粘土で製作された造花よりも、軽く丈夫で、高級感もある新しい造花の製作が可能となるのではないかと考え。本願発明に至ったものである。
【０００５】
なお、係る問題を解決すべく、従来からも種々の技術が他からも提案されている。例えば、発明の名称を「造花とその製作方法」とするもので（特許文献１参照）、「造花の花弁または葉に柔軟性と形態保持性を与えること」を課題とし、具体的には、「樹脂粘土を練りのばす。のばされた樹脂粘土を所望の花弁または葉の形に切り取る。花弁または葉の表裏両面に接着剤を介して布帛を貼る。本発明では、樹脂粘土と布帛の組み合わせにより、布花のような柔らかさと粘土花のよう優れた形態保持性が得られる。」というものである。係る特許文献１に記載の発明は、布を張り付けることで粘土の強度については問題を解決しているといえるが、切り取った布の端が解れるといった縁部の処理の必要性が生じるという問題点がある。また、布は重く、粘土と合わせるうとより重くなってしまうという欠点もある。従って特許文献１に記載の発明では本発明の課題を解決するには至っていない。
【０００６】
また、発明の名称を「紙製の葉およびその製造方法」とする技術が開示され公知技術となっている（特許文献２参照）。「プラスチックなどの有害な物質を出すものを用いずに、飾り物に適した人工の葉を提供すること」を課題とし、具体的には、「和紙系の紙材をカットし、糊を利かせた状態でプレスすることにより立体感を出した紙製の葉を提供する。」というものである。しかしながら、特許文献２に記載の発明は、日本の伝統文化である和紙を使用して立体感のある葉を製造するというところはよいとしても、紙だけでの成形では厚さが出せず、丸みを帯びたカーブなどを保持することが難しいなどリアルな表現や、高級感を出すことは難しいといえる。
【０００７】
また、発明の名称を「軽量粘土を用いた丸ばらの造花製造方法」とする技術が開示され公知技術となっている（特許文献３参照）。「新規の軽量粘土を素材として、素人でも容易に作製することができ、軽量で柔軟性、可撓性があり折れ難くあざやかな色彩の丸ばら造花製作法を提供する」ことを目的とし、具体的には、「プラスチック微細中空粒子を配合した軽量粘土を用い、これを１〜３ｃｍに丸め０．５〜１．５ｍｍ厚のだ円形状に展伸し、二つ折りにしたものを、直径１〜３ｃｍの粘土で作製乾燥させた球体の芯材に重ねてかぶせて丸ばらを製作する。」というものである。しかしながら、特許文献３に記載の発明は、粘土の軽量化を図り、軽量な造花を創作するということはよいとして、粘土の強度の問題や、軽量粘土による質感では高度な装飾機能を発揮することができないという問題を残すものであった。
【先行技術文献】
【特許文献】
【０００８】
【特許文献１】特開２００１−３２１５号
【特許文献２】特開２００１−２８８６０９号
【特許文献３】特開２０００−２３４２１２号
【発明の概要】
【発明が解決しようとする課題】
【０００９】
本発明は、日本の伝統工芸である和紙の特性と、粘土の特性を生かし、特に粘土の成形性の良さと、和紙の繊維質から現れる独特の素材感、更に和紙の柔軟性、強度、吸水性などの機能的な特性を利用した、強くて軽量、且つ、和紙特有の独特な表面性状から発揮される装飾美を兼ね備えた造花、並びにその製造方法に関する技術の提供を課題とする。
【課題を解決するための手段】
【００１０】
本発明は、粘土と和紙を用いた造花の製造方法であって、前記粘土によって花弁、葉、萼、実、茎といった造花を構成する粘土成形部品を成形する粘土成形工程と、前記粘土成形部品の表面の一部または全部に貼着するための和紙貼着体を前記和紙から切り取る切取工程と、前記粘土成形工程によって得られた前記粘土成形部品のいずれか又は全部と、前記切取工程によって得られた前記和紙貼着体とを貼着して和紙貼着構造体を得る貼着工程と、前記粘土成形工程によって得られた前記粘土成形部品及び前記貼着工程によって得られた前記和紙貼着構造体とを結合させる組立工程とから成る構成手段を採用する製造方法とした。
【００１１】
また、本発明は、前記貼着工程における和紙の貼着手段に、水を用いる構成手段を採用した製造方法としてもよい。係る構成を採用した場合は、押圧による貼着手段と比較すると、剥離しにくく、水によって表面の粘土が溶けだし、和紙の繊維質間に入り込むことで接着効果が高まるという効果を発揮する。
【００１２】
また、本発明は、前記貼着工程における前記和紙の貼着手段に、水性接着剤を用いる構成手段を採用した製造方法としてもよい。係る構成を採用した場合には、水のみを使用した場合と比較して乾燥後の和紙貼着構造体の強度を高めることができるという効果を発揮する。
【００１３】
また、本発明は、前記貼着工程における前記和紙の貼着手段に、水と水性接着剤を用いる構成手段を採用した製造方法としてもよい。係る構成を採用した場合は、軽量化と強度の両面に優れるとともに、前記和紙貼着体を前記粘土成形部品との貼着の際、水性接着剤が良く伸びて塗りやすくなるという面での作業性が向上するとともに、水に溶かした水性接着剤と、表面の粘土が溶け合い、和紙の繊維質間に入り込むことで接着効果が高まるという効果を発揮する。
【００１４】
また、本発明は、前記和紙が透ける和紙を採用することで独特な表面性状を表現する構成手段を採用した製造方法としてもよい。係る構成を採用した場合は、接着強度に優れるとともに、前記和紙貼着体を前記粘土成形部品との貼着の際、早期接着が可能という面での作業性が向上する。
【００１５】
また、本発明は、前記部品に、暗くなると発光する蓄光素材を利用する構成手段を採用した製造方法としてもよい。係る構成を採用した場合には、暗所での幻想的装飾を可能とする効果を発揮する。
【００１６】
また、本発明は、粘土と和紙を用いた造花であって、花弁、葉、萼、実、茎といった造花を構成する粘土成形部品の表面の一部または全部に和紙が貼着されている構成手段を採用した。
【００１７】
また、本発明は、前記和紙に透ける和紙を用いる構成手段を採用してもよい。係る構成を採用した場合は、透けた和紙から粘土が見えたりすることで、独特の風合いの装飾を発揮する造花が得られるからである。
【００１８】
また、本発明は、前記部品に、暗くなると発光する蓄光素材を利用する構成手段を採用してもよい。係る構成を採用した場合は、暗所での幻想的な装飾効果を発揮する造花が得られるからである。
【発明の効果】
【００１９】
本発明に係る和紙による補強及び装飾クレイフラワーの製造方法によれば、日本の伝統技術による和紙独特の風合いを表現した高級感あふれる造花の製作が可能となるという優れた効果を発揮する。
【００２０】
また、本発明に係る和紙による補強及び装飾クレイフラワーの製造方法によれば、粘土による造花の製作において、薄くすると割れやすいという粘土の弱点を、軽量で強い和紙を用いることで補い、薄くしても高い強度を得ることができるという優れた効果を発揮する。
【００２１】
また、本発明に係る和紙による補強及び装飾クレイフラワーの製造方法によれば、粘土による造花の製作過程において、部品と部品の結合部分には筆などが細部に入らず色彩を加えることが難しいという欠点を、望む色の和紙を張ることで細部の彩色の作業の代用ができたり、重ねた和紙のグラデーション効果を利用することにより、立体的表現を創出しやすくなるという優れた効果を発揮する。
【００２２】
また、本発明に係る和紙による補強及び装飾クレイフラワーの製造方法において、蓄光素材を使用する構成を採用した場合は、蓄光の効果により、暗所では幻想的な風合いを楽しむことができるといった優れた効果を発揮する。
【００２３】
また、本発明に係る和紙による補強及び装飾クレイフラワーの製造方法によれば、近年需要が低下している和紙の利用の途を拡張することができるという優れた効果を奏する。
【００２４】
また、本発明に係る和紙による補強及び装飾クレイフラワーの製造方法によれば、和紙は布と異なり、切り取った部分がほつれることが無く、縁部を処理しないまま容易に貼着することができるため、簡単にクレイフラワーの装飾が可能になるという優れた効果を奏する。
【図面の簡単な説明】
【００２５】
【図１】本発明に係る和紙による補強及び装飾クレイフラワーの製造方法における各工程の流れを示すフローチャートである。
【図２】本発明に係る貼着工程における貼着手段毎の貼着状態を例示する貼着状態説明図である。
【図３】本発明に係る和紙による補強及び装飾クレイフラワーの製造方法によって得られる造花を構成する構成説明図である。
【図４】本発明に係る和紙貼着構造体における和紙貼着体の貼着例を示す貼着例説明図である。
【図５】本発明に係る和紙による補強及び装飾クレイフラワーの製造方法によって得られるクレイフラワーの実施例を示す実施例説明図である。
【発明を実施するための形態】
【００２６】
本発明に係る和紙による補強及び装飾クレイフラワーの製造方法は、粘土の補強及び装飾のために、和紙を貼着させることを最大の特徴とするものである。以下、図面に基づいて説明する。
【００２７】
図１は、本発明に係る和紙による補強及び装飾クレイフラワーの製造方法１の基本フローを示している。
【００２８】
本発明に係る和紙による補強及び装飾クレイフラワーの製造方法１は、粘土１０と和紙２０を用いた造花の製造方法であって、粘土成形部品１１を成形する粘土成形工程Ａと、和紙貼着体３０を和紙２０から切り取る切取工程Ｂと、粘土成形部品１１の何れか又は全部と和紙貼着体３０とを貼着し、和紙貼着構造体３１を得る貼着工程Ｃと、各々の粘土成形部品１１及び和紙貼着構造体３１とを結合させる組立工程Ｄと、を基本工程とするものである。以下、各工程について説明する。
【００２９】
粘土成形工程Ａは、粘土１０によって花弁１２、葉１３、萼１４、実１５、茎１６といった造花を構成する粘土成形部品１１を成形する工程である。具体的には、粘土１０を花弁１２や葉１３に見立てるための細工棒や粘土用ハサミを用いて造形したり、ワイヤーにフローラテープや粘土等を巻き付けて茎１６などを成形する。なお、萼１４や茎１６の成形は、花や葉１３の乾燥状態に応じて、適宜、組立工程Ｄの際に行うことなども有効である。
【００３０】
切取工程Ｂは、粘土成形部品１１の表面の一部または全部に貼着するための和紙貼着体３０を和紙２０から切り取る工程である。具体的には、粘土成形工程Ａによって得られた粘土成形部品１１の形状や大きさ、或いは和紙２０の風合いを創出したい部分に対応する形状に和紙２０を切り取るか、若しくは粘土成形部品１１に貼着した後に、該粘土成形部品１１の外形に沿って切り取る。
【００３１】
貼着工程Ｃは、粘土成形工程Ａによって得られた粘土成形部品１１のいずれか又は全部と、前記切取工程Ｂによって得られた和紙貼着体３０とを貼着して、和紙貼着構造体３１を得る工程である。具体的には、切り取った和紙貼着体３０を貼着手段Ｅによって粘土成形部品１１の表面に貼着させるものである。貼着手段Ｅには、粘土成形部品１１が有する水分を利用して押圧による貼り着け、水５０を用いた貼り着け、水性接着剤６０（硬化すると透明になるもの）又は、水５０と水性接着剤６０を混合させたものを用いて貼り着けるなどである。なお、押圧による貼着手段Ｅでは時間の経過とともに剥離しやすいため（図２ｂのイ・図２ｃのイ）耐久性と作業性の点から水５０による貼着、又は水性接着剤６０を利用することが望ましい。
【００３２】
組立工程Ｄは、粘土成形工程Ａによって得られた粘土成形部品１１及び前記貼着工程Cによって得られた和紙貼着構造体３１を組み立てる工程である。具体的には、複数枚の花弁１２から花を造形し、必要に応じて粘土１０やペップを利用した花芯や、萼１４等を追加し、茎１６に葉１３や、前記花を組み立てて、和紙による補強及び装飾クレイフラワー２を製造する。
【００３３】
図２は、本発明に係る貼着工程Cにおける、貼着手段Ｅ毎の貼着状態を例示する貼着状態説明図である。図2（ａ）は、粘土成形部品１１の花弁１２の表面に和紙貼着体３０を各貼着手段Ｅによって貼着した直後の状態を示し、図２（ｂ）は、時間の経過（３０日後）による剥離の状態を示し、図２（ｃ）は、時間の経過（３０日後）による剥離状態をより明確にするために和紙貼着体３０の縁部の剥離状態を拡大した図であり、図２（ａ）から図２（ｃ）の各アは貼着手段Ｅに水５０を、図２（ａ）から図２（ｃ）の各イは貼着手段Ｅに押圧を、図２（ａ）から図２（ｃ）の各ウは貼着手段Ｅに水性木工用ボンドを、図２（ａ）から図２（ｃ）の各エは貼着手段Ｅに油を、それぞれの貼着手段Eで貼着したものを示している。
【００３４】
図２（ａ）から図２（ｃ）の各アに示すものは、貼着手段Ｅに水５０を用いたもので、３０日経過後も剥離することがなく良好な貼着状態を示している。また、和紙２０に十分な水分を与えることによって和紙２０特有の吸水性、保湿性から、粘土成形部品１１の形状に応じる展延性がよくなり、張りやすく馴染みやすい。但し、水溶性接着剤６０を用いたものに比べると補強による効果はやや落ちる。
【００３５】
図２（ａ）から図２（ｃ）の各イに示すものは、貼着手段Ｅに押圧を利用したものは貼着初期は粘土１０の有する水分によって貼着するものの、乾燥後には縁部から剥離が始まり、３０日経過後では全体が剥離する和紙貼着構造体３１も少なくない。従って、長期の保存に向かない貼着手段Ｅといえる。
【００３６】
図２（ａ）から図２（ｃ）の各ウに示すものは、貼着手段Ｅに水溶性接着剤６０を水５０で薄めたものを用いたものであり、３０日経過後も剥離することがなく良好な貼着状態を示している。なお、図面には示していないが、水性接着剤６０のみという貼着手段Ｅも耐久性の面では優れる。しかしながら、重量の増加と接着の際の伸びが悪く、塗布における作業性の面から水５０で薄める方が効率的であるといえる。
【００３７】
図２（ａ）から図２（ｃ）の各エに示すものは、貼着手段Ｅに油を用いたものであり、塗布直後から剥離し、３０日経過後ではほとんどの和紙貼着構造体３１から和紙貼着体３０が剥離してしまうという状態となったことを示している。図２に示した結果から、最も本発明に係る和紙による補強及び装飾クレイフラワーの製造方法１の貼着手段Ｅに適するのは、水性接着剤６０を水５０で薄めたものがよく、次いで水５０のみ若しくは水性接着剤６０のみの貼着手段Ｅであり、押圧による貼着手段Ｅと油を用いた貼着手段Ｅは、適さないといえる。
【００３８】
図３は、本発明に係る和紙による補強及び装飾クレイフラワーの製造方法によって得られる造花を構成する構成説明図である。以下、各構成及び部材について説明する。
【００３９】
粘土１０は、樹脂粘土、軽量粘土、パンフラワー粘土、石粉粘土、紙粘土等、その他多数の種類があり、これらを組み合わせた使い方もある。そこで、それぞれの特徴を以下説明する。
【００４０】
樹脂粘土は、樹脂ベースで作られた自然乾燥で硬化する粘土１０であり、乾燥後は透明感のあるものが多く、中にはペースト状の粘土もある。また、樹脂粘土は薄く延ばすのには向いており、重厚感を表現することも可能である。着色については、成形前にあらかじめ粘土１０に着色することが可能であるが、乾燥後は、表面が比較的つるつるしているため、絵の具４０を弾きやすく、美しく着色するには技術が必要となる。但し、本発明のように、和紙２０を貼着する構成では、絵の具４０は和紙２０に塗布されるため、係る欠点を解消することができる。なお、樹脂粘土を本発明に係る粘土成形部品１１の素材とする場合は、乾燥後少し収縮するので、希望の仕上がりサイズより少し大きめに作らなければならないが、貼着された和紙２０の伸縮特性により対応することができる。
【００４１】
軽量粘土は、微小中空球樹脂を混ぜて軽量化された自然乾燥で硬化する粘土１０で、厳密には軽量粘土も樹脂粘土であるが、上記の樹脂粘土との特徴の違いから軽量粘土としてあえて区別して説明する。軽量粘土は、軽くて粘着性が高い特徴から、和紙２０の貼着も容易であり、成形前に粘土１０に絵の具４０を混ぜ込むことによる着色も容易である。しかし、乾燥後に表面が極端にざらつくため乾燥後の着色は難しいといった欠点と、薄く成形すると割れやすいという問題がある。しかしながら、本発明における和紙２０を貼着する構成の和紙貼着構造体３１とする場合は、絵の具４０は和紙貼着体３０に塗布されるため、係る欠点を解消することができ、また、和紙２０の補強によって割れやすいといった問題も解決することが可能となる。
【００４２】
パンフラワー粘土は、乾燥後の表面は色を乗せるのに都合のいい適度なざらつきがあり、和紙２０との相性も良いが、収縮率が大きく、乾燥後の大きさなどの予想がつきにくいといった欠点がある。しかしながら、樹脂粘土と同様に貼着された和紙２０の伸縮特性により対応することができる。樹脂粘土との違いとしては、原料となる小麦の色がベージュであるために、白い作品や、極めて薄い色の作品にはには向かないといった欠点があるが、本発明における和紙貼着体３０を貼着する構成の和紙貼着構造体３１とする場合は、白色系の和紙２０を使うことによって、係る問題を解決することが可能となる。
【００４３】
石粉粘土や紙粘土は、自然乾燥で硬化する粘土１０で、乾燥すると硬く固まる。また、樹脂粘土や小麦粘土のように成形前にあらかじめ絵の具４０で粘土１０に色を入れるには向いていないことから、着色は乾燥後のみとなる。しかしながら、本発明における和紙貼着体３０を貼着する構成の和紙貼着構造体３１とする場合は、着色された和紙２０を使うことによって、多様な色彩の表現が可能となる。
【００４４】
このように、粘土１０の種類によってそれぞれ特性があり、また、これらの各粘土１０を混合することによっても、それぞれの特性が変化することから、所望する特性となるように調合するなどして適宜使い分けることが望ましい。
【００４５】
粘土成形部品１１は、粘土１０を成形して作られる造花を構成する各部品であり、例えば、図３に例示した薔薇であれば、花弁１２、葉１３、萼１４、及び茎１６等により構成される。
【００４６】
花弁１２は、所謂花びらであり、花を造形するのに数枚から数十枚で構成され、本発明において特に和紙２０の表面性状を利用した表現をしやすい部分である。なお、図３には特に示していないが、花を構成する他の花柄、雌しべ、花柱、柱頭、雄しべ、花糸、葯、花序等についても、より繊細な造形を表現する場合は粘土１０や、市販のペップを用いて造形する。
【００４７】
葉１３は、葉身のことであり、本発明において特に和紙２０の表面性状を利用した表現をしやすい部分であり、図３（ａ）に示した葉１３は、表側（上面）に和紙貼着体３０を貼着したものと、表側（上面）に和紙貼着体３０を貼着しないものを示しており、図３（ａ）に示した葉１３は、裏側（底面）に和紙貼着体３０を貼着したものと、裏側（底面）に和紙貼着体３０を貼着しないものを示している。なお、図３には特に示していないが、葉１３を構成する他の葉柄や、托葉についも、より繊細な造形を表現する場合は粘土１０、和紙２０、を用いて造形する。
【００４８】
萼１４は、花の外側に形成される一枚以上の萼片のことであり、粘土１０、和紙２０、又はこれらの組み合わせによって成形する。図３に示す薔薇の場合を例にすると、花となる部分と茎１６との間に５枚（図面上では花の影となり４枚）存在することとなる。
【００４９】
実１５は、図面には示さないが、特に限定されるものではなく、木や草などになる実を意味するもので、従来粘土１０のみではひびが入りやすいという難点があったが、本発明における和紙２０を貼着する構成の和紙貼着構造体３１とする場合は、和紙２０の補強効果により、係る問題を解決することが可能である。
【００５０】
茎１６は、通常、ワイヤーにフローラルテープや、粘土１０を巻き付けて成形するのが一般的である。また、図３には示していないが、茎１６にも和紙貼着体３０を貼着して装飾することも有効である。
【００５１】
和紙２０は、原料に紙の質を弱くする成分が含まれていないので、耐久性、保存性、柔軟性、安定性が高い評価を得ている素材であり、特に、その保存性が非常に優れていることから、国内は勿論、世界中の文化財の修復にも活躍しているものである。一般的な「和紙」の特長は、洋紙に比べて格段に繊維が長いため、薄くとも強靭で寿命が比較的長く、独特の風合いをもつ。和紙２０を木材パルプ原料から生産される「洋紙」と比較すると、原料が限られ生産性も低いために価格は高いという問題点がある。また、伝統的な漉き方では、独特な流し漉き技術を用いて生産され、和紙２０の原料としては楮、雁皮、三椏が代表的であるが、係る原料について、特に限定するものではない。なお、見た目だけが和紙２０の風合いを持つ紙も多く存在し、本願の和紙２０には、伝統的な日本古来の原料と高度な技術が必要とされる手漉きによる製法で作られた紙のみならず、粘土１０を補強する機能と、和紙２０独特の風合いの装飾機能を発揮するものであれば、特にこれらを除く必要はない。
【００５２】
透ける和紙２１は、繊維の不ぞろいにより、透光性の程度の差が生じる部分や、部分的に空いた隙間が多く散在することから透けて見えるものである。係る透ける和紙２１を用いることにより、粘土１０自体の色味を生かしたり、複数枚を重畳的に使用することで、グラデーション効果等の多彩な装飾を施すことが可能となる。
【００５３】
和紙貼着体３０は、和紙２０を粘土成形部品１１の形状に応じて切り取ったもの、又は、粘土成形部品１１に貼着した後に切り取られた和紙２０である。なお、図４（ｃ）に示す和紙貼着体３０のように粘土成形部品１１の形状に応じたもののみならず、図４（ｄ）に示すように異なる和紙２０を同一の花弁１２や葉１３に貼着するものでもよく、更には複数の和紙貼着体３０を重畳的に配置した図４（ｂ）のようなものでもよい。このように、和紙貼着体３０は、異なる色彩や、異なる模様を花弁１２等の表面に創出させることを可能とするものである。
【００５４】
和紙貼着構造体３１は、粘土成形品１１に和紙貼着体３０に貼着した造花の構成部品となる。貼着に用いる貼着手段Ｅには押圧、水５０、水性接着剤６０、の何れか、若しくはこれらの組み合わせによるもので、貼着後に結合されるものである。
【００５５】
水５０は、粘土成形品１１と和紙２０を貼着するために用いるとともに、硬い和紙２０に、予め水分を含ませることにより、軟らかくさせて粘土成形品１１の立体的形状に沿って貼着できるようにする。また、粘土１０は水５０によって表面が溶け出し、和紙貼着体３０の繊維質間に入り込むことで貼着効果を高めるという効果も発揮する。
【００５６】
水性接着剤６０は、酢酸ビニル樹脂エマルジョン接着剤の水性系接着剤であり、接着剤に含まれている水分が、粘土１０や和紙２０に吸収若しくは蒸発することで、透明な状態で固化する接着剤の事をいう。なお、市販されている一般的な名称としての「木工用ボンド」は、水性系の酢酸ビニル樹脂エマルジョン接着剤であるが、そのまま使用するとあまり伸びがよくないため、水５０を加えてうすめて使用することが望ましい。
【００５７】
蓄光素材７０は、光（電磁波）を蓄えて光照射を止めても発光する性状を有する物質であり、発光塗料、発光粉末体等、様々な態様がある。近年アルミン酸ストロンチウム蛍光体が開発され、従来の硫化亜鉛系蛍光体よりも残光輝度及び、残光時間が１０倍高くなっていることから、これを利用することが望ましい。係る蓄光素材７０を花弁１２や葉１３等に塗布することにより、暗所での発光による幻想的な装飾を可能とする。
【００５８】
図４は、本発明に係る和紙貼着構造体３１における和紙貼着体３０の貼着例を示す貼着例説明図であり、図４（ａ）は、粘土成形品１１のみの状態を示し、図４（ｂ）は、複数の和紙貼着体３０を重畳的に配置した状態を示し、図４（ｃ）は、和紙貼着体３０が粘土成形部品１１の外形形状に応じたものである場合を示し、図４（ｄ）は、一つの花弁１２や葉１３を形成する粘土成形品１１の表面に、異なる色彩や模様の和紙２０を用い、表面を分割するように、和紙貼着体３０を貼着した状態を示している。
【００５９】
図４（ａ）に示す通り、本発明は、粘土成形品１１に和紙貼着体３０を貼着しない花弁１２が含まれてもよく、粘土１０自体から現れる美観を利用するものでもよい。他方、図４（ｃ）、に示す通り、粘土成形品１１の全面に和紙貼着体３０を貼着した花弁１２でもよく、和紙貼着体３０から現れる美観を利用するものでもよい。なお、図４（ｂ）、図４（ｄ）、に示す通り、粘土成形品１１に和紙貼着体３０を重ねたり、（図４（ｂ））、分割したり（図４（ｄ））して現れる美観を利用するものでもよい。係る構成を採用する場合には、例えば、色彩の濃い和紙貼着体３０ａに色彩の薄い和紙貼着体３０ｂを重ねることによりグラデーション的効果や、本物の花弁の色彩の変化を表現することができる。更になお、同一の花弁において全く異なる色彩や模様の和紙貼着体３０ｃ・３０ｄを分割して設けることにより、自然界にはない非現実的な造形美を創出することも可能となる。このように、美観を追求するのみならず、和紙貼着体３０を貼着した粘土成形部品１１は、和紙貼着体３０を貼着していない粘土成形部品１１と比較して強度的に優れる。
【００６０】
図５は、本発明に係る和紙による補強及び装飾クレイフラワー２の実施例を示す実施例説明図である。具体的には、各々の花弁１２の粘土成形部品１１に色彩の異なる和紙貼着体３０を貼着した薔薇の造花を示しており、特に重畳的に貼付した花弁１２や分割した葉１３、及び、絵の具４０を塗布した表現を含めたものを示している。
【００６１】
また、図５には、花弁１２の根本側にうすい色彩の和紙貼着体３０ｅを貼付し、その先端側に、更に色のうすい色彩の和紙貼着体３０ｆを重畳的に貼付し、その先端には更にうすい色の絵の具４０を塗布した花弁１２と、花弁１２の根本側に濃い色彩の和紙貼着体３０ｈを貼付し、その先端側に、更に色の濃い色彩の和紙貼着体３０ｇを重畳的に貼付し、その先端には更に濃い絵の具４０を塗布した花弁１２とを含む薔薇の造花を示したものである。なお、和紙貼着体３０の段階的となる繋ぎ部については、絵の具４０を用いてぼかすことで、連続的なグラデーションへと変化させ、自然界に存在する植物が有する自然な色彩の変化を表現している。これに対し、葉１３においては、略半分に和紙貼着体３０ｃを貼着し、他方の略半分には和紙貼着体３０を貼付しない構成であり、図面ではわかりにくいが、自然界には存在しない幻想的な表現を創出している状態を示すものである。
【００６２】
上記図３、図４、図５で例示したとおり、本発明では、造花を構成する全ての粘土成形部品１１に、和紙貼着体３０の貼着が必ず必要とするものではない。前記の説明のとおり本発明は和紙貼着体３０の有無、大きさ、積層数、和紙の貼着が片面か両面か、によって個々の粘土成形部品１１の強度は変化するものの、例えば、複数の花弁１２が重なり合って構成される花の部分などでは、接触して隣接する和紙貼着構造体３１を介して和紙貼着体３０が貼着されていない粘土成形部品１１も当該接触部分の強度が向上し、その結果、花部全体としての強度や耐久性が優れたものとなる。
【産業上の利用可能性】
【００６３】
本発明は、日本の伝統文化である和紙と多くの人が親しむ粘土の融合により日本の伝統美の見直しと、新しい質感で創出させる造形美により、造花の概念を覆す技術であることから、産業上の利用可能性は高いものと思慮される。
【符号の説明】
【００６４】
１    和紙による補強及び装飾クレイフラワーの製造方法
２    和紙による補強及び装飾クレイフラワー
１０  粘土
１１  粘土成形部品
１２  花弁
１３  葉
１４  萼
１５  実
２０  和紙
２１  透ける和紙
３０  和紙貼着体
３１  和紙貼着構造体
４０  絵の具
５０  水
６０  水性接着剤
７０  蓄光素材
Ａ    粘土成形工程
Ｂ    切取工程
Ｃ    貼着工程
Ｄ    組立工程
Ｅ    貼着手段
【図１】
2020029634.tif 000003
【図２】
2020029634.tif 000004
【図３】
2020029634.tif 000005
【図４】
2020029634.tif 000006
【図５】
2020029634.tif 000007
【手続補正書】
【提出日】平成30年12月29日(2018.12.29)
【手続補正１】
【補正対象書類名】特許請求の範囲
【補正対象項目名】全文
【補正方法】変更
【補正の内容】
【特許請求の範囲】
【請求項１】
粘土（１０）と和紙（２０）を用いた造花の製造方法であって、
前記粘土（１０）によって花弁（１２）、葉（１３）、萼（１４）、実（１５）、茎（１６）といった造花を構成する粘土成形部品（１１）を成形する粘土成形工程（Ａ）と、
前記粘土成形部品（１１）の表面の一部または全部に貼着するための和紙貼着体（３０）を前記和紙（２０）から切り取る切取工程（Ｂ）と、
前記粘土成形工程（Ａ）によって得られた前記粘土成形部品（１１）の全部又は少なくとも前記花弁（１２）について、前記切取工程（Ｂ）によって得られた複数の前記和紙貼着体（３０）を重畳的に貼着して和紙貼着構造体（３１）を得る貼着工程（Ｃ）と、
前記粘土成形工程（Ａ）によって得られた前記粘土成形部品（１１）及び前記貼着工程（Ｃ）によって得られた前記和紙貼着構造体（３１）とを結合させる組立工程（Ｄ）と、
から成ることを特徴とする和紙による補強及び装飾クレイフラワーの製造方法（１）。
【請求項２】
前記貼着工程（Ｃ）における和紙（２０）の貼着手段（Ｅ）に、水（５０）を用いることを特徴とする請求項１に記載の和紙による補強及び装飾クレイフラワーの製造方法（１）。
【請求項３】
前記貼着工程（Ｃ）における前記和紙（２０）の貼着手段（Ｅ）に、水性接着剤（６０）を用いることを特徴とする請求項１に記載の和紙による補強及び装飾クレイフラワーの製造方法（１）。
【請求項４】
前記貼着工程（Ｃ）における前記和紙（２０）の貼着手段（Ｅ）に、水（５０）と水性接着剤（６０）を用いることを特徴とする請求項１に記載の和紙による補強及び装飾クレイフラワーの製造方法（１）。
【請求項５】
前記和紙（２０）が透ける和紙（２１）を採用することで独特な表面性状を利用して表現することを特徴とした請求項１から請求項３の何れかに記載した和紙による補強及び装飾クレイフラワーの製造方法（１）。
【請求項６】
前記粘土成形部品（１１）に、暗くなると発光する蓄光素材（７０）を利用したことを特徴とする請求項１から請求項４の何れかに記載した和紙による補強及び装飾クレイフラワーの製造方法（１）。
【請求項７】
粘土（１０）と和紙（２０）を用いた造花であって、
花弁（１２）、葉（１３）、萼（１４）、実（１５）、茎（１６）といった造花の粘土成形部品（１１）の全部又は少なくとも前記花弁（１２）に前記和紙（２０）が重畳的に複数枚貼着されていることを特徴とする和紙による補強及び装飾クレイフラワー（２）。
【請求項８】
前記和紙（２０）に透ける和紙（２１）を用いたことを特徴とする請求項６に記載の和紙による補強及び装飾クレイフラワー（２）。
【請求項９】
前記粘土成形部品（１１）に、暗くなると発光する蓄光素材（７０）を利用したことを特徴とする請求項６又は請求項７に記載の和紙による補強及び装飾クレイフラワー（２）。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
粘土（１０）と和紙（２０）を用いた造花の製造方法であって、
前記粘土（１０）によって花弁（１２）、葉（１３）、萼（１４）、実（１５）、茎（１６）といった造花を構成する粘土成形部品（１１）を成形する粘土成形工程（Ａ）と、
前記粘土成形部品（１１）の表面の一部または全部に貼着するための和紙貼着体（３０）を前記和紙（２０）から切り取る切取工程（Ｂ）と、
前記粘土成形工程（Ａ）によって得られた前記粘土成形部品（１１）の全部又は少なくとも前記花弁（１２）について、前記切取工程（Ｂ）によって得られた複数の前記和紙貼着体（３０）を重畳的に貼着して和紙貼着構造体（３１）を得る貼着工程（Ｃ）と、
前記粘土成形工程（Ａ）によって得られた前記粘土成形部品（１１）及び前記貼着工程（Ｃ）によって得られた前記和紙貼着構造体（３１）とを結合させる組立工程（Ｄ）と、
から成り、前記貼着工程（Ｃ）における前記和紙（２０）の貼着手段（Ｅ）に、水（５０）と水性接着剤（６０）を用いることを特徴とする和紙による補強及び装飾クレイフラワーの製造方法（１）。
【請求項２】
前記粘土成形部品（１１）に、暗くなると発光する蓄光素材（７０）を利用したことを特徴とする請求項１に記載した和紙による補強及び装飾クレイフラワーの製造方法（１）。
【請求項３】
粘土（１０）と和紙（２０）を用いた造花であって、
花弁（１２）、葉（１３）、萼（１４）、実（１５）、茎（１６）といった造花の粘土成形部品（１１）の全部又は少なくとも前記花弁（１２）には、複数枚の前記和紙（２０）が重畳的に水（５０）と水性接着剤（６０）を介して貼着されていることを特徴とする和紙による補強及び装飾クレイフラワー（２）。
【請求項４】
前記粘土成形部品（１１）に、暗くなると発光する蓄光素材（７０）を利用したことを特徴とする請求項３に記載の和紙による補強及び装飾クレイフラワー（２）。